【手続補正書】
【提出日】平成17年11月14日(2005.11.14)
【手続補正１】
【補正対象書類名】明細書
【補正対象項目名】特許請求の範囲
【補正方法】変更
【補正の内容】
【特許請求の範囲】
【請求項１】  固定シンボル系列を含んでたたみ込み符号化されて伝送されるデータ系列をビタビ復号する誤り訂正回路であって、
前記固定シンボル系列の区間について、各シンボルを前記たたみ込み符号化によって得られる符号点に変更するか否かを判断して、変更する区間を示すシンボル座標変換信号を生成するビタビ復号器制御回路と、
前記固定シンボル系列の区間については、前記シンボル座標変換信号が生成された区間の入力シンボル系列を前記符号点に変更して出力し、前記シンボル座標変換信号が生成されない区間の入力シンボル系列を変更せずに出力し、前記固定シンボル系列の区間以外については、入力シンボル系列を変更せずに出力する入力シンボル変換回路と、
前記入力シンボル変換回路より出力された各シンボルに対してビタビ復号を行うビタビ復号器と、を具備する誤り訂正回路。
【請求項２】  前記データ系列は、複数の変調方式と複数の符号化率のシンボルによって構成され、前記変調方式及び前記符号化率が切り替わる前記シンボル間に固定シンボル系列を含む場合を有し、異なる前記変調方式及び前記符号化率の各前記シンボルが連続的にたたみ込み符号化されて伝送され、
前記ビタビ復号器は、前記入力シンボル変換回路より出力された各シンボルに対して、伝送に用いられた変調方式及び符号化率に基づくメトリックを用いて各前記シンボルのビタビ復号を行う請求項１記載の誤り訂正回路。
【請求項３】  前記データ系列は、更に各シンボルの変調方式及び符号化率に関する伝送制御情報を含んでおり、
前記ビタビ復号器は、前記伝送制御情報に含まれる各前記シンボルの前記変調方式及び前記符号化率に基づき、当該シンボルのビタビ復号を行う請求項２記載の誤り訂正回路。
【請求項４】  固定シンボル系列を含んでたたみ込み符号化されて伝送されるデータ系列をビタビ復号する誤り訂正方法であって、
前記固定シンボル系列の区間について、各シンボルを前記たたみ込み符号化によって得られる符号点に変更するか否かを判断して、変更する区間を示すシンボル座標変換信号を生成するビタビ復号制御処理と、
前記固定シンボル系列の区間については、前記シンボル座標変換信号が生成された区間の入力シンボル系列を前記符号点に変更して出力し、前記シンボル座標変換信号が生成されない区間の入力シンボル系列を変更せずに出力し、前記固定シンボル系列の区間以外については、入力シンボル系列を変更せずに出力する入力シンボル変換処理と、
前記ビタビ復号制御処理より出力された各シンボルに対してビタビ復号を行うビタビ復号処理と、を有する誤り訂正方法。
【請求項５】  前記データ系列は、複数の変調方式と複数の符号化率のシンボルによって構成され、前記変調方式及び前記符号化率が切り替わる前記シンボル間に固定シンボル系列を含む場合を有し、異なる前記変調方式及び前記符号化率の各前記シンボルが連続的にたたみ込み符号化されて伝送され、
前記ビタビ復号処理は、前記入力シンボル変換処理より出力された各シンボルに対して、伝送に用いられた変調方式及び符号化率に基づくメトリックを用いて各前記シンボルのビタビ復号を行う請求項４記載の誤り訂正方法。
【請求項６】  前記データ系列は、更に各シンボルの変調方式及び符号化率に関する伝送制御情報を含んでおり、
前記ビタビ復号処理は、前記伝送制御情報に含まれる各前記シンボルの前記変調方式及び前記符号化率に基づき、当該シンボルのビタビ復号を行う請求項５記載の誤り訂正方法。
【手続補正２】
【補正対象書類名】明細書
【補正対象項目名】０１３１
【補正方法】変更
【補正の内容】
【０１３１】
また請求項４〜６記載の発明は、夫々請求項１〜９記載の誤り訂正回路の機能を実現するための信号処理方法を実現することを目的とする。
【手続補正３】
【補正対象書類名】明細書
【補正対象項目名】０１３２
【補正方法】変更
【補正の内容】
【０１３２】
【課題を解決するための手段】
本願の発明は、固定シンボル系列を含んでたたみ込み符号化されて伝送されるデータ系列をビタビ復号する誤り訂正回路であって、前記固定シンボル系列の区間について、各シンボルを前記たたみ込み符号化によって得られる符号点に変更するか否かを判断して、変更する区間を示すシンボル座標変換信号を生成するビタビ復号器制御回路と、前記固定シンボル系列の区間については、前記シンボル座標変換信号が生成された区間の入力シンボル系列を前記符号点に変更して出力し、前記シンボル座標変換信号が生成されない区間の入力シンボル系列を変更せずに出力し、前記固定シンボル系列の区間以外については、入力シンボル系列を変更せずに出力する入力シンボル変換回路と、前記入力シンボル変換回路より出力された各シンボルに対してビタビ復号を行うビタビ復号器と、を具備するものである。
【手続補正４】
【補正対象書類名】明細書
【補正対象項目名】０１３３
【補正方法】変更
【補正の内容】
【０１３３】
ここで前記データ系列は、複数の変調方式と複数の符号化率のシンボルによって構成され、前記変調方式及び前記符号化率が切り替わる前記シンボル間に固定シンボル系列を含む場合を有し、異なる前記変調方式及び前記符号化率の各前記シンボルが連続的にたたみ込み符号化されて伝送され、前記ビタビ復号器は、前記入力シンボル変換回路より出力された各シンボルに対して、伝送に用いられた変調方式及び符号化率に基づくメトリックを用いて各前記シンボルのビタビ復号を行うようにしてもよい。
【手続補正５】
【補正対象書類名】明細書
【補正対象項目名】０１３４
【補正方法】変更
【補正の内容】
【０１３４】
ここで前記データ系列は、更に各シンボルの変調方式及び符号化率に関する伝送制御情報を含んでおり、前記ビタビ復号器は、前記伝送制御情報に含まれる各前記シンボルの前記変調方式及び前記符号化率に基づき、当該シンボルのビタビ復号を行うようにしてもよい。
【手続補正６】
【補正対象書類名】明細書
【補正対象項目名】０１３５
【補正方法】変更
【補正の内容】
【０１３５】
本願の発明は、固定シンボル系列を含んでたたみ込み符号化されて伝送されるデータ系列をビタビ復号する誤り訂正方法であって、前記固定シンボル系列の区間について、各シンボルを前記たたみ込み符号化によって得られる符号点に変更するか否かを判断して、変更する区間を示すシンボル座標変換信号を生成するビタビ復号制御処理と、前記固定シンボル系列の区間については、前記シンボル座標変換信号が生成された区間の入力シンボル系列を前記符号点に変更して出力し、前記シンボル座標変換信号が生成されない区間の入力シンボル系列を変更せずに出力し、前記固定シンボル系列の区間以外については、入力シンボル系列を変更せずに出力する入力シンボル変換処理と、前記ビタビ復号制御処理より出力された各シンボルに対してビタビ復号を行うビタビ復号処理と、を有するものである。
【手続補正７】
【補正対象書類名】明細書
【補正対象項目名】０１３６
【補正方法】変更
【補正の内容】
【０１３６】
ここで前記データ系列は、複数の変調方式と複数の符号化率のシンボルによって構成され、前記変調方式及び前記符号化率が切り替わる前記シンボル間に固定シンボル系列を含む場合を有し、異なる前記変調方式及び前記符号化率の各前記シンボルが連続的にたたみ込み符号化されて伝送され、前記ビタビ復号処理は、前記入力シンボル変換処理より出力された各シンボルに対して、伝送に用いられた変調方式及び符号化率に基づくメトリックを用いて各前記シンボルのビタビ復号を行うようにしてもよい。
【手続補正８】
【補正対象書類名】明細書
【補正対象項目名】０１３７
【補正方法】変更
【補正の内容】
【０１３７】
ここで前記データ系列は、更に各シンボルの変調方式及び符号化率に関する伝送制御情報を含んでおり、前記ビタビ復号処理は、前記伝送制御情報に含まれる各前記シンボルの前記変調方式及び前記符号化率に基づき、当該シンボルのビタビ復号を行うようにしてもよい。
【手続補正９】
【補正対象書類名】明細書
【補正対象項目名】０１３８
【補正方法】削除
【補正の内容】
【手続補正１０】
【補正対象書類名】明細書
【補正対象項目名】０１３９
【補正方法】削除
【補正の内容】
【手続補正１１】
【補正対象書類名】明細書
【補正対象項目名】０１４０
【補正方法】削除
【補正の内容】
【手続補正１２】
【補正対象書類名】明細書
【補正対象項目名】０１４１
【補正方法】削除
【補正の内容】
【手続補正１３】
【補正対象書類名】明細書
【補正対象項目名】０１４２
【補正方法】削除
【補正の内容】
【手続補正１４】
【補正対象書類名】明細書
【補正対象項目名】０１４３
【補正方法】削除
【補正の内容】
【手続補正１５】
【補正対象書類名】明細書
【補正対象項目名】０１４４
【補正方法】削除
【補正の内容】
【手続補正１６】
【補正対象書類名】明細書
【補正対象項目名】０１４５
【補正方法】削除
【補正の内容】
【手続補正１７】
【補正対象書類名】明細書
【補正対象項目名】０１４６
【補正方法】削除
【補正の内容】
【手続補正１８】
【補正対象書類名】明細書
【補正対象項目名】０１４７
【補正方法】削除
【補正の内容】
【手続補正１９】
【補正対象書類名】明細書
【補正対象項目名】０１４８
【補正方法】削除
【補正の内容】
【手続補正２０】
【補正対象書類名】明細書
【補正対象項目名】０１４９
【補正方法】削除
【補正の内容】